(57)【要約】【課題】  静止画をレイアウト枠に嵌め込む際に画像のない空白領域が生じること、主要被写体がレイアウト枠から欠落することを防ぎ、完成度の高いアルバム画像を容易に作成できるようにする。【解決手段】  静止画上に設定される主要被写体領域と、主要被写体の中心を決める注目点を設定する。レイアウト枠には、静止画を嵌め込む際に注目点と合致させる基準点が設定されている。基準点からレイアウト枠までの距離と、注目点から静止画の外郭までの距離の算出距離の比率を求め、その最大値を第１パラメータとする。また、基準点からレイアウト枠までの距離と、注目点から主要被写体領域の外郭までの距離との比率を求め、その最小値を第２パラメータとする。第１パラメータが第２パラメータよりも大きいと、空白領域の発生又は主要被写体がはみ出るアルバム画像となり、静止画の嵌め込みが禁止される。【選択図】        図８
2007026246.tif 000002
【特許請求の範囲】
【請求項１】
静止画を嵌め込むためのレイアウト枠を有するテンプレートが使用され、前記レイアウト枠の所定の位置に前記静止画の主要被写体を置くために前記レイアウト枠に設定された基準点と、前記主要被写体上に設定された注目点とが一致するように前記静止画を前記テンプレートに合成したアルバム画像を作成するアルバム作成装置において、
前記主要被写体の範囲を定める主要被写体領域を設定する主要被写体領域設定手段と、
前記基準点から前記レイアウト枠までの少なくとも十字方向の各距離を算出する第１距離算出手段と、
前記注目点から前記主要被写体領域の外郭までの少なくとも十字方向の各距離を算出する第２距離測定手段と、
前記注目点から前記静止画の外郭までの少なくとも十字方向の各距離を算出する第３距離算出手段と、
前記主要被写体領域が前記レイアウト枠の内部に収まる倍率として、前記第１距離算出手段と前記第２距離算出手段の各方向における算出距離の比率を求め、その最大値を第１パラメータに設定する第１パラメータ設定手段と、
前記静止画の外郭が前記前記レイアウト枠の内部に進入しない倍率として、前記第１距離算出手段と前記第３距離算出手段の各方向における算出距離の比率を求め、その最小値を第２パラメータに設定する第２パラメータ設定手段と、
前記第１パラメータと前記第２パラメータとを比較して、前記静止画と前記レイアウト枠とが互いに適合するか否かを判定する適合性判定手段とを備えたことを特徴とするアルバム作成装置。
【請求項２】
前記適合性判定手段により不適合と判定された静止画をこれに対応するレイアウト枠に嵌め込むことを禁止することを特徴とする請求項１記載のアルバム作成装置。
【請求項３】
複数の静止画の主要被写体領域及び注目点がそれぞれ設定された状態で、特定のテンプレートのレイアウト領域と各静止画とから算出される第１パラメータ及び第２パラメータを判定し、該レイアウト領域に適合する静止画のみを一覧表示することを特徴とする請求項２記載のアルバム作成装置。
【請求項４】
静止画を嵌め込むためのレイアウト枠を有するテンプレートが使用され、前記レイアウト枠の所定の位置に前記静止画の主要被写体を置くために前記レイアウト枠に設定された基準点と、前記主要被写体上に設定された注目点とが一致するように前記静止画を前記テンプレートに合成したアルバム画像を作成するためのアルバム作成プログラムにおいて、
前記主要被写体の範囲を定める主要被写体領域を設定する主要被写体領域設定手段と、
前記基準点から前記レイアウト枠までの十字方向の各距離を少なくとも算出する第１距離算出手段と、
前記注目点から前記主要被写体領域の外郭までの十字方向の各距離を少なくとも算出する第２距離測定手段と、
前記注目点から前記静止画の外郭までの十字方向の各距離を少なくとも算出する第３距離算出手段と、
前記主要被写体領域が前記レイアウト枠の内部に収まる倍率として、前記第１測定手段の算出距離と前記第２距離測定手段の算出距離の各方向についての比率を求め、その最大値を第１パラメータに設定する第１パラメータ設定手段と、
前記静止画の外郭が前記前記レイアウト枠の内部に進入しない倍率として、前記第１距離算出手段の算出距離と前記第３距離算出手段の算出距離の各方向についての比率を求め、その最小値を第２パラメータに設定する第２パラメータ設定手段と、
前記第１パラメータと前記第２パラメータとを比較して、前記静止画と前記レイアウト枠とが互いに適合するか否かを判定する適合性判定手段としてコンピュータを機能させることを特徴とするアルバム作成プログラム。
【発明の詳細な説明】
【技術分野】
【０００１】
本発明は、静止画を嵌め込むレイアウト枠を有するテンプレートを使用してアルバム画像を作成するアルバム作成装置及びこのためのアルバム作成プログラムに関する。
【背景技術】
【０００２】
デジタルスチルカメラ等を用いて撮影された静止画は、プリント写真として楽しむ他に、家庭用テレビ等の画面上に表示するスライドショーとして楽しむことができる。また、静止画を１枚ずつプリント又は表示することに限られず、複数の静止画を１つの画像に合成したアルバム画像として観賞することもできる。アルバム画像を作成する際には、静止画を嵌め込むための範囲を定めたレイアウト枠が設定されたテンプレートを使用すると便利である（特許文献１等参照）。レイアウト枠に任意の静止画を指定すると、静止画の中央点とレイアウト枠の中央点とが一致するように、テンプレート上における静止画の位置、大きさ、形状等が自動的に決められる。従って、１頁分のアルバム画像が容易に作成でき、多数の静止画をアルバム画像として編集する手間が少なくなる。
【特許文献１】特許２６８７７５５号公報
【発明の開示】
【発明が解決しようとする課題】
【０００３】
しかしながら、静止画の中央点とレイアウト枠の中央点とが一致するように静止画をテンプレートに合成する際、静止画の形状とレイアウト領域の形状とが相似形でない場合には、互いの形状を整合させるために、静止画の一部を切り取るトリミングが行われる。このため、図９に示すように、トリミングにより主要被写体の一部が切り取られる事態が生じると、アルバム画像の見映えが悪くなるという問題がある。また、トリミングを行わずに、静止画を縮小してレイアウト枠に嵌め込むと、主要被写体が小さく見づらいものとなり、さらにレイアウト枠の内部に画像のない空白領域が生じるため、アルバム画像の見映えが悪くなるという問題がある。
【０００４】
本発明は、上記問題点を考慮してなされたもので、静止画の形状とレイアウト枠の形状が異なる場合でも、主要被写体の欠落部分や画像の空白領域を生じさせることなく主要被写体を大きく表示した完成度の高いアルバム画像を容易に作成することのできるアルバム作成装置及びこのためのアルバム作成プログラムを提供することを目的とする。
【課題を解決するための手段】
【０００５】
上記目的を達成するために、本発明は、静止画を嵌め込むためのレイアウト枠を有するテンプレートが使用され、前記レイアウト枠の所定の位置に前記静止画の主要被写体を置くために前記レイアウト枠に設定された基準点と、前記主要被写体上に設定された注目点とが一致するように前記静止画を前記テンプレートに合成したアルバム画像を作成するアルバム作成装置において、前記主要被写体の範囲を定める主要被写体領域を設定する主要被写体領域設定手段と、前記基準点から前記レイアウト枠までの少なくとも十字方向の各距離を算出する第１距離算出手段と、前記注目点から前記主要被写体領域の外郭までの少なくとも十字方向の各距離を算出する第２距離測定手段と、前記注目点から前記静止画の外郭までの少なくとも十字方向の各距離を算出する第３距離算出手段と、前記主要被写体領域が前記レイアウト枠の内部に収まる倍率として、前記第１距離算出手段と前記第２距離算出手段の各方向における算出距離の比率を求め、その最大値を第１パラメータに設定する第１パラメータ設定手段と、前記静止画の外郭が前記前記レイアウト枠の内部に進入しない倍率として、前記第１距離算出手段と前記第３距離算出手段の各方向における算出距離の比率を求め、その最小値を第２パラメータに設定する第２パラメータ設定手段と、前記第１パラメータと前記第２パラメータとを比較して、前記静止画と前記レイアウト枠とが互いに適合するか否かを判定する適合性判定手段とを備えたことを特徴とする。
【０００６】
前記適合性判定手段により不適合と判定された静止画をこれに対応するレイアウト枠に嵌め込むことを禁止することを特徴とする。
【０００７】
複数の静止画の主要被写体領域及び注目点がそれぞれ設定された状態で、特定のテンプレートのレイアウト領域と各静止画とから算出される第１パラメータ及び第２パラメータを判定し、該レイアウト領域に適合する静止画のみを一覧表示することを特徴とする。
【発明の効果】
【０００８】
本発明によれば、静止画とレイアウト枠と主要被写体領域との形状から算出される第１パラメータ及び第２パラメータに基づき、主要被写体の一部がレイアウト枠から欠落するか否か、又はレイアウト枠の内部に画像のない空白領域が存在するか否かを事前に判断できるから、見映えの悪い失敗作のアルバム画像をユーザーが誤って作成してしまうことがなくなり、アルバム作成に要する手間を軽減することができる。
【０００９】
また、見映えの悪いアルバム画像になる場合には、該当する静止画をレイアウト枠に嵌め込むことを禁止するから、見映えのよいアルバム画像のみを容易に作成することができる。
【００１０】
また、見映えの悪いアルバム画像となる静止画を、レイアウト枠に嵌め込む候補の静止画として表示しないから、多数の静止画を使用してアルバム画像を作成する際に、レイアウト枠に適合する静止画を容易に選択でき、アルバム作成に要する手間を軽減することができる。
【発明を実施するための最良の形態】
【００１１】
図１において、アルバム作成装置１０は、ＲＯＭ１１に記憶されたアルバム作成プログラムＰＧ１を実行することにより制御部１２として機能するＣＰＵ１３を備えている。ＣＰＵ１３には、画像データ読み取り部１４，画像表示部１５，操作パネル１６が接続されている。画像データ読み取り部１４は、メモリカードから画像データを読み取るためのコネクタ、及びＣＤ等の光ディスクから画像データを読み取るためのディスクドライブ等から構成される。画像表示部１５は、液晶ディスプレイを備え、画像データとして読み取られた静止画、及び静止画を使用して作成されたアルバム画像等を表示する。操作パネル１６は、アルバム画像の作成時に必要なユーザーの入力操作を受付ける。
【００１２】
ＲＯＭ１１には、アルバム作成プログラムＰＧ１と、アルバム作成に使用されるテンプレートデータＴＤ１等が記憶されている。ＲＡＭ１７には、画像データ読み取り部１４から読み取られた画像データＰＤ１と、ＣＰＵ１３により作成されたアルバム画像データＡＤ１等が記憶される。ＣＰＵ１３は、アルバム作成プログラムＰＧ１を実行し、主要被写体領域設定部２０と、第１パラメータ算出部２１と、第２パラメータ算出部２２と、適合性判定部２３と、トリミング領域決定部２４と、画像合成部２５として機能する。
【００１３】
図２において、主要被写体領域設定部２０は、ＲＡＭ１７に画像データとして記憶された静止画として、例えば静止画ＰＩＣ１を画像表示部１５に表示し、ユーザーが操作パネル１６を介して静止画上の特定のポイントを指定することにより決まる主要被写体領域Ａ１を設定する。主要被写体領域Ａ１は、静止画ＰＩＣ１の主要被写体とする範囲を定めるものである。主要被写体領域Ａ１は、静止画ＰＩＣ１の中央部に写る二人の子供を主要被写体として、例えば二人の子供を囲むように四角形に設定される。主要被写体領域Ａ１は、四角形の対角に位置する２つの頂点を指定することによりその形状と大きさが定められる。主要被写体領域Ａ１が設定されると、主要被写体の中心位置がユーザーにより指定され、注目点Ｐ１として設定される。なお、注目点Ｐ１を指定しなかった場合には、主要被写体領域Ａ１の対角線の中点が注目点として自動的に設定される。
【００１４】
図３において、テンプレートデータＴＤ１として予め用意されているテンプレートＴＭ１には、静止画を嵌め込む範囲を定めるレイアウト枠Ｆ１が設定されている。レイアウト枠Ｆ１の形状には、長方形、円形、星形等がある。レイアウト枠Ｆ１の外側には、特定色に塗り潰された背景の上にイラストや文字等が付加された背景領域ＢＡ１が設けられている。テンプレートＴＭ１は、レイアウト枠Ｆ１の形状、位置、大きさを決めるレイアウト情報を有するとともに、静止画を嵌め込む際の基準となる基準点Ｐ２が設定されている。
【００１５】
注目点Ｐ１と基準点Ｐ２は、静止画ＰＩＣ１をレイアウト枠Ｆ１に嵌め込む場合に、レイアウト枠Ｆ１に対する静止画ＰＩＣ１の位置を決めるものであり、静止画ＰＩＣ１は、その注目点Ｐ１が基準点Ｐ２と一致するようにレイアウト枠Ｆ１に嵌め込まれる。また、主要被写体領域Ａ１は、レイアウト枠Ｆ１の内部に収める静止画ＰＩＣ１の最低限の範囲を定めるものであり、レイアウト枠Ｆ１の形状に静止画ＰＩＣ１をトリミングする際に欠落することが禁止される範囲を表す。
【００１６】
図４において、第１パラメータ算出部２１は、テンプレートＴＭ１における基準点Ｐ２からレイアウト枠Ｆ１までの距離と、静止画ＰＩＣ１における注目点Ｐ１から静止画ＰＩＣ１の外郭端縁までの距離の２種類の距離を算出する。第１パラメータ算出部２１は、同じ方向の算出距離の比率を求め、その中から最も大きい比率となる値を抽出し、これを第１パラメータとして設定する。
【００１７】
第１パラメータは、静止画ＰＩＣ１をレイアウト枠Ｆ１に嵌め込んだ際に、レイアウト枠Ｆ１の内部に静止画ＰＩＣ１の外部の領域が空白領域ＳＰとして入り込むことがない静止画ＰＩＣ１の倍率を表す（図９参照）。また、どの方向の距離が測定されるかは、レイアウト枠Ｆ１の形状によって異なり、レイアウト枠Ｆ１の形状が複雑になるほど、多くの方向についての距離が測定される。レイアウト枠Ｆ１が四角形の場合には、基準点Ｐ２から上下左右の四方向についての距離が測定される。同様に、静止画ＰＩＣ１についても注目点Ｐ１から上下左右の四方向についての距離が測定される。
【００１８】
図５において、第２パラメータ算出部２２は、テンプレートＴＭ１における基準点Ｐ２からレイアウト枠Ｆ１までの距離（図３参照）と、静止画ＰＩＣ１における注目点Ｐ１から主要被写体領域Ａ１までの距離の２種類の距離を算出する。第２パラメータ算出部２２は、同じ方向について測定された２つの距離の比率を求め、その中から最も小さい比率となった時の値を第２パラメータとして設定する。
【００１９】
第２パラメータは、静止画ＰＩＣ１をレイアウト枠Ｆ１に嵌め込んだ際に、主要被写体領域Ａ１に囲まれた範囲の画像がレイアウト枠Ｆ１の外部に食み出すことのない倍率の値を表す（図８参照）。注目点Ｐ１から主要被写体領域Ａ１の距離が測定される方向は、第１パラメータ算出部２１と同様に、レイアウト枠Ｆ１の形状によって異なり、レイアウト枠Ｆ１が四角形の場合には、上下左右の四方向になる。
【００２０】
適合性判定部２３は、第１パラメータ算出部２１と第２パラメータ算出部２２とによってそれぞれ求められた第１パラメータと第２パラメータとの値を比較し、第１パラメータが第２パラメータよりも小さい場合に、静止画ＰＩＣ１をレイアウト枠Ｆ１に適合する適合画像と判定し、第１パラメータが第２パラメータよりも大きい場合には、静止画ＰＩＣ１をレイアウト枠Ｆ１に適合しない不適合画像と判定する。
【００２１】
なお、第１パラメータが第２パラメータよりも小さい場合には、静止画ＰＩＣ１をレイアウト枠Ｆ１に嵌め込む際に、レイアウト枠Ｆ１の内部に静止画ＰＩＣ１の外部の空白領域ＳＰが入り込まず、また、主要被写体領域Ａ１の範囲の画像がレイアウト枠Ｆ１の外部に食み出さない適当な倍率が存在することを表す。また、第１パラメータが第２パラメータよりも大きい場合には、レイアウト枠Ｆ１の内部に空白領域が生じないようにした時に主要被写体領域Ａ１の範囲の画像がレイアウト枠Ｆ１の外部に食み出すこと、すなわち、主要被写体領域Ａ１の範囲の画像がレイアウト枠Ｆ１の内部に収まるようにした時にレイアウト枠Ｆ１の内部に空白領域ＳＰが生じることを表す。なお、第１パラメータと第２パラメータとが同じ値の場合には、その静止画が適合画像とみなされる。
【００２２】
図７において、トリミング領域決定部２４は、静止画ＰＩＣ１が適合画像であると判定された時に、第１パラメータから第２パラメータまでの範囲の数値に決められた静止画ＰＩＣ１の倍率の大きさに基づいて、静止画ＰＩＣ１をレイアウト枠Ｆ１の形状に切り出すためのトリミング領域を決定する。また、トリミング領域は、切り出された画像をレイアウト枠Ｆ１にはめ込んだ際に、主要被写体領域Ａ１の注目点Ｐ１とレイアウト枠Ｆ１の基準点Ｐ２が合致するように決定される。
【００２３】
画像合成部２５は、決定されたトリミング領域に従って静止画ＰＩＣ１のトリミング処理と、トリミングによって得られた画像の解像度調整、サイズ調整等を行い、テンプレートＴＭ１のレイアウト枠Ｆ１に静止画ＰＩＣ１を合成したアルバム画像を作成する。
【００２４】
次に、アルバム作成装置１０の作用について説明する。図８において、画像データ読み取り部１４にメモリカード又は光ディスクをセットすると、これを検知した制御部１２は、セットされた記憶媒体から静止画の画像データＰＤ１を読み出し、読み出した画像データＰＤ１をＲＡＭ１７にコピーする。制御部１２は、画像データＰＤ１のコピーが終了すると、読み取られた静止画のサムネイル画像を作成し、複数のサムネイル画像を静止画の一覧として画像表示部１５に表示する。
【００２５】
制御部１２は、サムネイル画像として表示された複数の静止画からアルバム画像の作成に使用する静止画を選択するようにユーザーに促し、ユーザーにより幾つかの静止画が指定されると、各静止画の主要被写体領域を設定するステップに移行する。選択された静止画は、画像表示部１５の画面上に１枚ずつ表示される。ユーザーは、静止画上の２つのポイントを入力し、各静止画の主要被写体の範囲を指定する。主要被写体領域設定部２０は、ユーザーにより指定された範囲を主要被写体領域Ａ１に設定し、画像表示部１５の画面上に主要被写体領域Ａ１と静止画を重ねて表示する。また、主要被写体領域Ａ１とともに注目点Ｐ１が設定される。同様に、アルバム画像の作成に使用する全ての静止画について主要被写体領域Ａ１及び注目点Ｐ１が設定される。
【００２６】
全ての静止画の主要被写体領域Ａ１及び注目点Ｐ１が設定されると、制御部１２は、テンプレートデータＴＤ１として記憶された複数種類のテンプレートからアルバム画像に使用するテンプレートをユーザーに選択させるステップに移行する。制御部１２は、ＲＯＭ１１に記憶されたテンプレートデータＴＤ１を読み出し、複数種類のテンプレートを画像表示部１５に表示する。ユーザーは、複数種類のテンプレートからアルバム画像の作成に使用するテンプレートＴＭ１を選択する指示を行う。
【００２７】
ユーザーによるテンプレートを選択する操作が検知されると、選択されたテンプレートが画像表示部１５に表示される。選択されたテンプレートに複数のレイアウト枠Ｆ１が設定されている場合、ユーザーは最初に静止画を嵌め込むレイアウト枠Ｆ１を指定する。レイアウト枠Ｆ１が指定された際、又はテンプレートに設定されたレイアウト枠Ｆ１が１つだった場合、第１パラメータ算出部２１と第２パラメータ算出部２２は、第１パラメータと第２パラメータを抽出する計算処理を開始する。
【００２８】
図３及び図４において、第１パラメータ算出部２１は、レイアウト枠Ｆ１が四角形の場合、基準点Ｐ２からレイアウト枠Ｆ１までの上右下左の四方向の距離Ｌ１，Ｌ２，Ｌ３，Ｌ４と、注目点Ｐ１から静止画の端縁までの上右下左の四方向の距離Ｄ１，Ｄ２，Ｄ３，Ｄ４を測定する。また、同じ方向の距離の比率として、Ｌ１／Ｄ１，Ｌ２／Ｄ２，Ｌ３／Ｄ３，Ｌ４／Ｄ４を算出し、この中で最も大きい値を第１パラメータとして抽出する。
【００２９】
図３及び図５において、第２パラメータ算出部２２は、基準点Ｐ２からレイアウト枠Ｆ１までの上右下左の四方向の距離Ｌ１，Ｌ２，Ｌ３，Ｌ４と、注目点Ｐ１から主要被写体領域Ａ１までの上右下左の四方向の距離ｄ１，ｄ２，ｄ３，ｄ４を測定する。また、同じ方向の距離の比率として、Ｌ１／ｄ１，Ｌ２／ｄ２，Ｌ３／ｄ３，Ｌ４／ｄ４を算出し、この中で最も小さい値を第２パラメータとして抽出する。
【００３０】
第１パラメータと第２パラメータは、主要被写体領域Ａ１の設定された全ての静止画について算出される。適合性判定部２３は、全ての静止画の第１パラメータと第２パラメータの大小関係を判定する。これにより、選択された静止画は、第１パラメータが第２パラメータよりも小さい適合画像と、第１パラメータが第２パラメータよりも大きい不適合画像とに分類される。
【００３１】
画像表示部１５には、テンプレートＴＭ１とともに適合画像と判定された静止画の一覧がサムネイル画像として表示される。一方、不適合画像は画面上に表示されず、テンプレートＴＭ１に合成する静止画の候補から除外される。ユーザーは、表示されたサムネイル画像の中からテンプレートＴＭ１に合成する静止画を選択する。トリミング領域決定部２４は、注目点Ｐ１と基準点Ｐ２とが一致するように、選択された静止画のトリミング領域を決定する。画像合成部２５は、決定されたトリミング領域に基づいて静止画のトリミングを行い、トリミングした静止画をレイアウト枠Ｆ１に嵌め込む。テンプレートＴＭ１には、レイアウト枠Ｆ１の外部に主要被写体が食み出すことがなく、レイアウト枠Ｆ１の内部に空白領域の存在しない適切な範囲でトリミングされた静止画が合成される。同様にして、異なるテンプレート又は異なるレイアウト枠に対しても、第１パラメータ及び第２パラメータの算出と、適合画像と不適合画像の振り分けが行われる。全ての静止画をテンプレートに嵌め込むと、アルバム画像を作成する作業が終了する。
【００３２】
作成されたアルバム画像は、ＲＡＭ１７にアルバム画像データＡＤ１として記憶される。アルバム画像データＡＤ１は、適宜読み出すことができ、画像表示部１５にアルバム画像を表示することができる。なお、アルバム画像データＡＤ１は、着脱自在な記憶媒体に複製できるようにすること、或いは、パーソナルコンピュータ等の外部機器に転送できるようにすることが好ましい。
【００３３】
以上のように、本発明の実施形態について説明したが、本発明は上記実施形態に限られず、適宜の変更が可能である。例えば、上記実施形態のアルバム作成装置１０は、アルバム画像を作成するための装置として構成されているが、アルバム作成プログラムＰＧ１が組み込まれたデジタルスチルカメラ、又はパーソナルコンピュータによってアルバム画像を作成するようにしてもよい。また、アルバム画像を作成する際には、デジタルスチルカメラにより撮影された画像以外にも、写真フイルムをスキャンして得られたカラー画像、カラー原稿をスキャンして得られた画像を使用することができる。
【００３４】
本発明は、静止画の主要被写体領域Ａ１を設定した後に選択されたレイアウト枠Ｆ１の特徴に基づいて、静止画の適否を判定することに限られず、所定のレイアウト枠Ｆ１を選択した後にこれに嵌め込む静止画を選択する場合においては、適合画像となるように主要被写体領域を設定できる範囲を静止画上に表示してもよい。また、レイアウト枠の基準点の位置を変更できるようにした場合には、主要被写体領域の設定された静止画に対し、これが適合画像となるように基準点を変更できる範囲をレイアウト枠の内部に表示してもよい。
【００３５】
さらに、本発明では、レイアウト領域に対して不適合画像と判定された静止画を、レイアウト枠に嵌め込む静止画の候補から除外するために、ユーザーに選択された静止画の一覧から消去することに限られず、例えば、不適合画像のサムネイル画像に特定の色の縁取りを施す等、適合画像と不適合画像との区別ができるようにしていればよい。また、ユーザーが不適合画像を選択した場合には、警告メッセージ等を表示して不適合画像であることを報知するようにしてもよい。また、レイアウト枠は四角形に限らず、円形やその他の多角形でもよく、この場合には、基準点からレイアウト枠までの距離を測定する方向を多くすることで、空白領域が生じず主要被写体が欠けることのない適合画像を正確に判定することができる。主要被写体領域を設定する際には、静止画から人物等の特定の被写体を画像解析により検出し、ユーザーによる入力の手間を省くようにしてもよい。
【００３６】
レイアウト枠に対して静止画が適合画像か不適合画像かを判定する場合に、第１パラメータと第２パラメータが等しい静止画は適合画像とみなすことが好ましい。また、第１パラメータと第２パラメータは、基準点からレイアウト枠までの距離と注目点から静止画の端縁までの距離の比率、基準点からレイアウト枠までの距離と注目点から主要被写体領域までの距離との比率によってそれぞれ求められるが、各比率の分子・分母を逆にして求めた場合には、第１パラメータは距離の比率の最小値、第２パラメータは距離の比率の最大値として求めることができる。
【図面の簡単な説明】
【００３７】
【図１】アルバム作成装置の主要な構成を示すブロック図である。
【図２】主要被写体領域及び注目点の設定された静止画の例を示す説明図である。
【図３】レイアウト枠及び基準点の設定されたテンプレートの例を示す説明図である。
【図４】基準点からレイアウト枠までの距離を示す説明図である。
【図５】注目点から画像の端縁までの距離を示す説明図である。
【図６】注目点から主要被写体領域までの距離を示す説明図である。
【図７】適合画像からアルバム画像を作成した例を示す説明図である。
【図８】アルバム作成装置のフローチャートである。
【図９】不適合画像からアルバム画像を作成した例を示す説明図である。
【符号の説明】
【００３８】
１０  アルバム作成装置
２０  主要被写体領域設定部
２１  第１パラメータ算出部
２２  第２パラメータ算出部
２３  適合性判定部
２４  トリミング領域決定部
２５  画像合成部
ＰＧ１  アルバム作成プログラム
ＴＤ１  テンプレートデータ
ＰＤ１  画像データ
ＡＤ１  アルバム画像データ
ＰＩＣ１  静止画
ＴＭ１  テンプレート
Ａ１  主要被写体領域
Ｆ１  レイアウト枠
Ｐ１  注目点
Ｐ２  基準点
【図１】
2007026246.tif 000003
【図２】
2007026246.tif 000004
【図３】
2007026246.tif 000005
【図４】
2007026246.tif 000006
【図５】
2007026246.tif 000007
【図６】
2007026246.tif 000008
【図７】
2007026246.tif 000009
【図８】
2007026246.tif 000010
【図９】
2007026246.tif 000011